(57)【要約】【課題】テキストコンテンツの閲覧中にユーザが閲覧データの内容やユーザの特性に関連する知識をより深めること、又はより広げることが可能な情報を提供することが可能なサーバ装置等を提供する。【解決手段】テキストコンテンツを表示させる表示装置を介してユーザから、表示装置に表示させるためのテキストコンテンツの表示データの配信要求と、ユーザの特性を設定するためのユーザ特性設定情報と、を受信する。ユーザ特性設定情報に基づいてユーザの特性を設定し、表示データの内容に、ユーザの特性に、又は、表示データの内容及びユーザの特性の双方に関連するネットワーク上の参照可能な参照コンテンツ情報等を取得する。そして、表示データと、取得した参照コンテンツ情報等とを、ユーザに提供する。【選択図】図１
2015069386.tif 000002
【特許請求の範囲】
【請求項１】
テキストコンテンツを表示させる表示装置を介してユーザから、該表示装置に表示させるための前記テキストコンテンツの表示データの配信要求と、前記ユーザの特性を設定するためのユーザ特性設定情報と、を受信する受信手段と、
前記ユーザ特性設定情報に基づいて前記ユーザの特性を設定する設定手段と、
前記表示データの内容に、前記ユーザの特性に、又は、該表示データの内容及び該ユーザの特性の双方に関連するネットワーク上の参照可能な参照コンテンツ情報、又は該参照コンテンツを特定する特定情報を、データベース又はネットワークを介して外部から取得する取得手段と、
データベースに記録された前記表示データと、取得した前記参照コンテンツ情報又は前記特定情報とを、前記ユーザに提供する提供手段と、
を備え、
前記取得手段は、
前記表示データに含まれる単語を抽出し、
所定の条件を満たす前記単語を重要語として決定し、
前記参照コンテンツの候補情報のテキストデータに含まれる単語を抽出し、
前記参照コンテンツの候補情報に含まれるテキストデータにおける前記重要語の有無、前記表示データに含まれる単語と前記テキストデータに含まれる単語との類似度による分類、及び、前記ユーザの特性を示す特性情報と前記参照コンテンツの候補情報に設定される特性情報の一致の有無の各組み合わせから、２以上の組み合わせにそれぞれ該当する参照コンテンツ情報又は前記特定情報を取得することを特徴とするサーバ装置。
【請求項２】
請求項１に記載のサーバ装置において、
前記参照コンテンツの候補情報を追加更新した場合に、
前記取得手段は、追加更新した前記参照コンテンツの候補情報のテキストデータに含まれる単語を抽出して前記参照コンテンツ情報又は前記特定情報を再取得し、
前記提供手段は、再取得した前記参照コンテンツ情報又は前記特定情報を前記表示装置に送信する、サーバ装置。
【請求項３】
請求項１又は２に記載のサーバ装置において、
前記ユーザ特性設定情報は、前記ユーザの属性情報を含む、サーバ装置。
【請求項４】
請求項１〜３のいずれか１項に記載のサーバ装置において、
前記受信手段が、前記参照コンテンツ情報に対する前記表示装置のアクセス頻度を示すアクセス頻度情報を前記表示装置から受信すると、
前記設定手段は、前記アクセス頻度が所定の条件を満たす前記参照コンテンツ情報に対して設定された特性情報に基づいて、前記ユーザの特性情報を更新する、サーバ装置。
【請求項５】
請求項４に記載のサーバ装置において、
前記設定手段が、前記ユーザの特性情報を追加更新した場合に、
前記取得手段は、追加更新した前記ユーザの特性情報に基づいて前記参照コンテンツ情報又は前記特定情報を再取得し、
前記提供手段は、再取得した前記参照コンテンツ情報又は前記特定情報を前記表示装置に送信する、サーバ装置。
【請求項６】
請求項１〜３のいずれか１項に記載のサーバ装置において、
前記受信手段が、前記参照コンテンツ情報に対する前記表示装置のアクセス頻度を示すアクセス頻度情報を前記表示装置から受信すると、
前記取得手段は、
前記アクセス頻度情報に基づいて前記参照コンテンツ情報に設定された特性情報の各ジャンルに対するアクセス頻度を算出し、
前記各ジャンルに対するアクセス頻度に応じて前記ユーザの特性情報の各ジャンルに優先度を設定し、
設定した前記優先度に基づいて、前記ユーザの特性情報との一致を条件として含む前記組み合わせに該当する前記参照コンテンツ情報に、前記表示装置で表示させる際の順位付けするための順位情報を付加する、サーバ装置。
【請求項７】
請求項１〜６のいずれか１項に記載のサーバ装置において、
前記取得手段によって取得した前記参照コンテンツ情報が、
（１）前記ユーザの特性情報と前記参照コンテンツ情報に設定される特性情報は一致しないが、前記テキストデータは前記重要語を含み、前記類似度が所定値以上であるという条件で取得された第１の参照コンテンツ情報と、
（２）前記テキストデータは前記重要語を含まないが、前記ユーザの特性情報と前記参照コンテンツ情報に設定される特性情報は一致し、前記類似度が所定の範囲内であるという条件で取得された第２の参照コンテンツ情報と、
（３）前記テキストデータは前記重要語を含み、前記ユーザの特性情報と前記参照コンテンツ情報に設定される特性情報は一致するが、前記類似度が所定の範囲内であるという条件で取得された第３の参照コンテンツ情報と、
を含む、サーバ装置。
【請求項８】
請求項７に記載のサーバ装置において、
前記第１〜第３のそれぞれ複数の参照コンテンツ情報の中から当該第１〜第３の参照コンテンツ情報を所定の割合で抽出し、該抽出した複数の参照コンテンツ情報又は該複数の参照コンテンツ情報をそれぞれ特定する複数の特定情報をパッケージデータとしてパッケージ化するパッケージ手段を更に備え、
前記提供手段が、前記パッケージデータを提供することによって前記参照コンテンツ情報又は前記特定情報を前記ユーザに提供するサーバ装置。
【請求項９】
請求項８に記載のサーバ装置において、
前記受信手段が、前記第１〜第３の参照コンテンツ情報に対する前記表示装置のアクセス頻度を示すアクセス頻度情報を前記表示装置から受信すると、
前記パッケージ手段は、前記第１〜第３の参照コンテンツ情報に対するアクセス頻度に応じて前記第１〜第３の参照コンテンツ情報に重み付けを設定し、前記重み付けに基づいて前記割合を決定し、決定した前記割合に基づいて、前記第１〜第３の参照コンテンツ情報をパッケージ化する、サーバ装置。
【請求項１０】
請求項１〜９のいずれか１項に記載のサーバ装置において、
前記提供手段は、前記テキストコンテンツに関連する情報を参照コンテンツ情報として前記ユーザに提供する、サーバ装置。
【請求項１１】
テキストコンテンツを表示させる表示装置を介して情報をユーザに提供するサーバ装置を、
前記表示装置を介してユーザから、該表示装置に表示させるための前記テキストコンテンツの表示データの配信要求と、前記ユーザの特性を設定するためのユーザ特性設定情報と、を受信する受信手段、
前記ユーザ特性設定情報に基づいて前記ユーザの特性を設定する設定手段、
前記表示データの内容に、前記ユーザの特性に、又は、該表示データの内容及び該ユーザの特性の双方に関連するネットワーク上の参照可能な参照コンテンツ情報、又は該参照コンテンツを特定する特定情報を、データベース又はネットワークを介して外部から取得する取得手段、
データベースに記録された前記表示データと、取得した前記参照コンテンツ情報又は前記特定情報とを、前記ユーザに提供する提供手段、
として機能させ、
前記取得手段は、
前記表示データに含まれる単語を抽出し、
所定の条件を満たす前記単語を重要語として決定し、
前記参照コンテンツの候補情報のテキストデータに含まれる単語を抽出し、
前記参照コンテンツの候補情報に含まれるテキストデータにおける前記重要語の有無、前記表示データに含まれる単語と前記テキストデータに含まれる単語との類似度による分類、及び、前記ユーザの特性を示す特性情報と前記参照コンテンツの候補情報に設定される特性情報の一致の有無の各組み合わせから、２以上の組み合わせにそれぞれ該当する参照コンテンツ情報又は前記特定情報を取得するように前記サーバ装置を機能させることを特徴とするプログラム。
【請求項１２】
テキストコンテンツを表示させる表示装置を介してユーザから、該表示装置に表示させるための前記テキストコンテンツの表示データの配信要求と、前記ユーザの特性を設定するためのユーザ特性設定情報と、を受信する受信工程と、
前記ユーザ特性設定情報に基づいて前記ユーザの特性を設定する設定工程と、
前記表示データの内容に、前記ユーザの特性に、又は、該表示データの内容及び該ユーザの特性の双方に関連するネットワーク上の参照可能な参照コンテンツ情報、又は該参照コンテンツを特定する特定情報を、データベース又はネットワークを介して外部から取得する取得工程と、
データベースに記録された前記表示データと、取得した前記参照コンテンツ情報又は前記特定情報とを、前記ユーザに提供する提供工程と、
を含み、
前記取得工程は、
前記表示データに含まれる単語を抽出し、
所定の条件を満たす前記単語を重要語として決定し、
前記参照コンテンツの候補情報のテキストデータに含まれる単語を抽出し、
前記参照コンテンツの候補情報に含まれるテキストデータにおける前記重要語の有無、前記表示データに含まれる単語と前記テキストデータに含まれる単語との類似度による分類、及び、前記ユーザの特性を示す特性情報と前記参照コンテンツの候補情報に設定される特性情報の一致の有無の各組み合わせから、２以上の組み合わせにそれぞれ該当する参照コンテンツ情報又は前記特定情報を取得することを特徴とする通信方法。
【発明の詳細な説明】
【技術分野】
【０００１】
本発明は、通信端末装置等の表示装置と連動して情報の送受信を行うサーバ装置及びそのプログラム、並びに通信方法に関する。
【背景技術】
【０００２】
近年、インターネットなどのネットワーク及びパーソナルコンピュータなどの通信端末装置の発達に伴って、書籍、ニュース等の記事、映画、画像、及び、商品またはサービス等の広告（以下、まとめて「コンテンツ」という。）を、ネットワークまたは記録媒体を介して電子的に閲覧することが一般化している。最近では、通信機能を有する携帯ゲーム機器、タブレット型携帯端末装置、携帯用電話機などの携帯可能な携帯用通信端末装置を介してコンテンツを閲覧させることも多く行われている。
【０００３】
一方で、ユーザの嗜好などの特性にマッチする情報を検索し、ユーザに提供するシステムが知られている（例えば、特許文献１及び２）。特許文献１には、ユーザのプロフィール情報にマッチする情報を特定情報の中から選択してユーザに提供し、選択された情報からユーザが商品を購入した場合にはその購入商品情報をプロフィール情報として格納し、格納したユーザのプロフィール情報に基づいてマッチする情報を特定情報の中から選択するシステムが提案されている。
【０００４】
特許文献２には、情報空間上の各コンテンツを所定数のコンテンツ・カテゴリに分類するとともに、各コンテンツの特徴ベクトルを生成し、ユーザが過去アクセスしたコンテンツの特徴ベクトルを含むユーザ・プロファイルを生成して、コンテンツ・カテゴリ毎にユーザ・プロファイルとコンテンツの特徴ベクトルを比較し、比較の結果に基づいて、ユーザが望むコンテンツを特定するシステムが提案されている。
【先行技術文献】
【特許文献】
【０００５】
【特許文献１】特許第３０２８４８４号公報
【特許文献２】特開２００１−２６５８０８号公報
【発明の概要】
【発明が解決しようとする課題】
【０００６】
しかしながら、上記特許文献１に開示されたシステムにあっては、ユーザの嗜好にマッチする情報を提供することはできるが、通信端末装置等の表示装置を介してテキストコンテンツの閲覧中にユーザが閲覧データの内容に関連する関連情報、閲覧データの内容やユーザの特性に関連する意外な情報やユニークな情報などのバラエティーに富んだ情報を提供することができないため、テキストコンテンツの閲覧中にユーザが閲覧データの内容やユーザの特性に関連する知識をより深めたり、より広げたりすることはできない。
【０００７】
また、上記特許文献２に開示されたシステムにおいても、ユーザ・プロファイル情報に合致する有益性がある情報や、意外性や新規性のある情報などを提供することはできるが、テキストコンテンツの閲覧中にユーザが閲覧データの内容に関連する関連情報、閲覧データの内容やユーザの特性に関連する意外な情報やユニークな情報などのバラエティーに富んだ情報を提供することができないため、テキストコンテンツの閲覧中にユーザが閲覧データの内容やユーザの特性に関連する知識をより深めたり、より広げたりすることはできない。
【０００８】
本発明は、上記課題を解決するためになされたものであり、その目的は、テキストコンテンツの閲覧中にユーザが閲覧データの内容やユーザの特性に関連する知識をより深めること、又はより広げることが可能な情報を提供することが可能なサーバ装置等を提供することにある。
【課題を解決するための手段】
【０００９】
（１）上述した課題を解決するため、本発明のサーバ装置は、テキストコンテンツを表示させる表示装置を介してユーザから、該表示装置に表示させるための前記テキストコンテンツの表示データの配信要求と、前記ユーザの特性を設定するためのユーザ特性設定情報と、を受信する受信手段と、前記ユーザ特性設定情報に基づいて前記ユーザの特性を設定する設定手段と、前記表示データの内容に、前記ユーザの特性に、又は、該表示データの内容及び該ユーザの特性の双方に関連するネットワーク上の参照可能な参照コンテンツ情報、又は該参照コンテンツを特定する特定情報を、データベース又はネットワークを介して外部から取得する取得手段と、データベースに記録された前記表示データと、取得した前記参照コンテンツ情報又は前記特定情報とを、前記ユーザに提供する提供手段と、を備え、前記取得手段は、前記表示データに含まれる単語を抽出し、所定の条件を満たす前記単語を重要語として決定し、前記参照コンテンツの候補情報のテキストデータに含まれる単語を抽出し、前記参照コンテンツの候補情報に含まれるテキストデータにおける前記重要語の有無、前記表示データに含まれる単語と前記テキストデータに含まれる単語との類似度による分類、及び、前記ユーザの特性を示す特性情報と前記参照コンテンツの候補情報に設定される特性情報の一致の有無の各組み合わせから、２以上の組み合わせにそれぞれ該当する参照コンテンツ情報又は前記特定情報を取得する構成を有している。
【００１０】
この構成により、本発明のサーバ装置は、表示装置を介したユーザからのテキストコンテンツの表示データの配信要求に応じて、該表示データの内容やユーザの特性に関連する様々な参照コンテンツ情報等を取得し、テキストコンテンツの表示データと、取得した様々な参照コンテンツ情報等と、をユーザに提供することができる。
【００１１】
したがって、本発明のサーバ装置は、ユーザが閲覧する閲覧データの内容の知識を深めるための情報などの、表示装置に表示させる表示データの内容に類似するコンテンツだけでなく、ユーザの特性に関連するコンテンツ、例えば、ユーザにとって意外性のあるコンテンツやユニークなコンテンツなどバラエティーに富んだ参照コンテンツ情報等を取得することできるので、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能なコンテンツ情報を提供することができる。
【００１２】
（２）また、本発明のサーバ装置は、前記参照コンテンツの候補情報を追加更新した場合に、前記取得手段は、追加更新した前記参照コンテンツの候補情報のテキストデータに含まれる単語を抽出して前記参照コンテンツ情報又は前記特定情報を再取得し、前記提供手段は、再取得した前記参照コンテンツ情報又は前記特定情報を前記表示装置に送信する構成を有している。
【００１３】
この構成により、本発明のサーバ装置は、追加更新された参照コンテンツの候補情報や、追加更新されたユーザの特性情報等に基づいて、テキストコンテンツの表示データの内容やユーザの特性に関連し、かつ、バラエティーに富んだ参照コンテンツ情報等を再取得することができるので、ユーザに対して閲覧データの内容やユーザの特性に関連する最新情報を提供することができる。
【００１４】
（３）また、本発明のサーバ装置は、前記ユーザ特性設定情報が前記ユーザの属性情報を含む構成を有している。
【００１５】
この構成により、本発明のサーバ装置は、表示装置を介してユーザが入力又は選択したユーザの性別や年代などのユーザ属性情報に基づいてユーザの特性を設定することができるので、ユーザによる特性情報の入力が不要となり、ユーザの利便性を向上させることができる。
【００１６】
（４）また、本発明のサーバ装置は、前記受信手段が、前記参照コンテンツ情報に対する前記表示装置のアクセス頻度を示すアクセス頻度情報を前記表示装置から受信すると、前記設定手段は、前記アクセス頻度が所定の条件を満たす前記参照コンテンツ情報に対して設定された特性情報に基づいて、前記ユーザの特性情報を更新する構成を有している。
【００１７】
この構成により、本発明のサーバ装置は、ユーザのアクセス頻度が高い参照コンテンツ情報等に設定される特性に基づいて、ユーザの特性を自動更新することができるので、ユーザがより好む情報を自動的に提供することが可能となり、ユーザの利便性及び満足度を向上させることができる。
【００１８】
（５）また、本発明のサーバ装置は、前記設定手段が、前記ユーザの特性情報を追加更新した場合に、追加更新した前記取得手段は、前記ユーザの特性情報に基づいて前記参照コンテンツ情報又は前記特定情報を再取得し、前記提供手段は、再取得した前記参照コンテンツ情報又は前記特定情報を前記表示装置に送信する構成を有している。
【００１９】
この構成により、本発明のサーバ装置は、ユーザの特性の更新のタイミングで、表示データの内容や更新されたユーザの特性に関連し、かつバラエティーに富んだ参照コンテンツ情報等をユーザに提供することができるので、ユーザがより好む情報を自動的に提供することが可能となり、ユーザの利便性及び満足度を向上させることができる。
【００２０】
（６）また、本発明のサーバ装置は、前記受信手段が、前記参照コンテンツ情報に対する前記表示装置のアクセス頻度を示すアクセス頻度情報を前記表示装置から受信すると、前記取得手段は、前記アクセス頻度情報に基づいて前記参照コンテンツ情報に設定された特性情報の各ジャンルに対するアクセス頻度を算出し、前記各ジャンルに対するアクセス頻度に応じて前記ユーザの特性情報の各ジャンルに優先度を設定し、設定した前記優先度に基づいて、前記ユーザの特性情報との一致を条件として含む前記組み合わせに該当する前記参照コンテンツ情報に、前記表示装置で表示させる際の順位付けするための順位情報を付加する構成を有している。
【００２１】
この構成により、本発明のサーバ装置は、参照コンテンツ情報に対するユーザのアクセス頻度を示すアクセス頻度情報に基づいて参照コンテンツ情報又は特定情報を表示装置に表示する際に順位付けて行うことができるので、ユーザが興趣するような情報を優先して提供することができるとともに、もってユーザの満足度を向上させることができる。
【００２２】
（７）また、本発明のサーバ装置は、前記取得手段によって取得した前記参照コンテンツ情報が、（１）前記ユーザの特性情報と前記参照コンテンツ情報に設定される特性情報は一致しないが、前記テキストデータは前記重要語を含み、前記類似度が所定値以上であるという条件で取得された第１の参照コンテンツ情報と、（２）前記テキストデータは前記重要語を含まないが、前記ユーザの特性情報と前記参照コンテンツ情報に設定される特性情報は一致し、前記類似度が所定の範囲内であるという条件で取得された第２の参照コンテンツ情報と、（３）前記テキストデータは前記重要語を含み、前記ユーザの特性情報と前記参照コンテンツ情報に設定される特性情報は一致するが、前記類似度が所定の範囲内であるという条件で取得された第３の参照コンテンツ情報と、を含む構成を有している。
【００２３】
この構成により、本発明のサーバ装置は、表示装置を介したユーザからのテキストコンテンツの表示データの配信要求に応じて、第１〜第３の参照コンテンツ情報である、ユーザが閲覧する閲覧データの内容の知識を深めるための情報、ユーザにとって意外性のある情報、及びユニークな情報を取得し、テキストコンテンツの表示データと、各種情報又は各種情報を特定する特定情報と、をユーザに提供することができるので、テキストコンテンツの閲覧中にユーザが興趣するような種々の情報をユーザに提供できるといったユーザの利便性を向上させるとともに、テキストコンテンツの閲覧中にユーザが閲覧データの内容やユーザの特性に関連する知識をより深めたり、意外な情報やユニークな情報を得て知識をより広げたりすることが可能となる。
【００２４】
（８）また、本発明のサーバ装置は、前記第１〜第３のそれぞれ複数の参照コンテンツ情報の中から当該第１〜第３の参照コンテンツ情報を所定の割合で抽出し、該抽出した複数の参照コンテンツ情報又は該複数の参照コンテンツ情報をそれぞれ特定する複数の特定情報をパッケージデータとしてパッケージ化するパッケージ手段を更に備え、前記提供手段が、前記パッケージデータを提供することによって前記参照コンテンツ情報又は前記特定情報を前記ユーザに提供する構成を有している。
【００２５】
この構成により、本発明のサーバ装置は、各種情報又は各種情報を特定する特定情報を所定の割合でパッケージ化することができるので、テキストコンテンツの閲覧中にユーザが閲覧データの内容やユーザの特性に関連する知識をより深めること、又は知識の幅を広げることが可能な種々のコンテンツ情報を偏りなくユーザに提供することができる。
【００２６】
（９）また、本発明のサーバ装置は、前記受信手段が、前記第１〜第３の参照コンテンツ情報に対する前記表示装置のアクセス頻度を示すアクセス頻度情報を前記表示装置から受信すると、前記パッケージ手段は、前記第１〜第３の参照コンテンツ情報に対するアクセス頻度に応じて前記第１〜第３の参照コンテンツ情報に重み付けを設定し、前記重み付けに基づいて前記割合を決定し、決定した前記割合に基づいて、前記第１〜第３の参照コンテンツ情報をパッケージ化する構成を有している。
【００２７】
この構成により、本発明のサーバ装置は、ユーザが各種情報にアクセスした頻度に応じて、パッケージ化する各種情報の割合を決定することができるので、ユーザが興趣するような情報をより多くユーザに提供することが可能となり、もってユーザの満足度を向上させることができる。
【００２８】
（１０）また、本発明のサーバ装置は、前記提供手段は、前記テキストコンテンツに関連する情報を参照コンテンツ情報として前記ユーザに提供する構成を有している。
【００２９】
この構成により、本発明のサーバ装置は、テキストコンテンツに関する情報を参照コンテンツ情報としてユーザに提供することができるので、テキストコンテンツの閲覧中に、著者名、書名、書籍紹介文、目次情報、発行所、発行年月日、ＩＳＢＮ、ＤＯＩ、全国書誌番号、テキストコンテンツに関するイベント情報などの公式情報をユーザに提供できるといったユーザの利便性を向上させることができる。
【００３０】
（１１）また、上述した課題を解決するため、本発明のプログラムは、テキストコンテンツを表示させる表示装置を介して情報をユーザに提供するサーバ装置を、前記表示装置を介してユーザから、該表示装置に表示させるための前記テキストコンテンツの表示データの配信要求と、前記ユーザの特性を設定するためのユーザ特性設定情報と、を受信する受信手段、前記ユーザ特性設定情報に基づいて前記ユーザの特性を設定する設定手段、前記表示データの内容に、前記ユーザの特性に、又は、該表示データの内容及び該ユーザの特性の双方に関連するネットワーク上の参照可能な参照コンテンツ情報、又は該参照コンテンツを特定する特定情報を、データベース又はネットワークを介して外部から取得する取得手段、データベースに記録された前記表示データと、取得した前記参照コンテンツ情報又は前記特定情報とを、前記ユーザに提供する提供手段、として機能させ、前記取得手段は、前記表示データに含まれる単語を抽出し、所定の条件を満たす前記単語を重要語として決定し、前記参照コンテンツの候補情報のテキストデータに含まれる単語を抽出し、前記参照コンテンツの候補情報に含まれるテキストデータにおける前記重要語の有無、前記表示データに含まれる単語と前記テキストデータに含まれる単語との類似度による分類、及び、前記ユーザの特性を示す特性情報と前記参照コンテンツの候補情報に設定される特性情報の一致の有無の各組み合わせから、２以上の組み合わせにそれぞれ該当する参照コンテンツ情報又は前記特定情報を取得するように前記サーバ装置を機能させる構成を有している。
【００３１】
この構成により、本発明のプログラムは、サーバ装置によって、表示装置を介したユーザからのテキストコンテンツの表示データの配信要求に応じて、該表示データの内容やユーザの特性に関連する様々な参照コンテンツ情報等を取得し、テキストコンテンツの表示データと、取得した様々な参照コンテンツ情報等と、をユーザに提供することができる。
【００３２】
したがって、本発明のプログラムは、サーバ装置によって、ユーザが閲覧する閲覧データの内容の知識を深めるための情報などの表示装置に表示させる表示データの内容に類似するコンテンツだけでなく、ユーザの特性に関連するコンテンツ、例えば、ユーザにとって意外性のあるコンテンツやユニークなコンテンツなどバラエティーに富んだ参照コンテンツ情報等を取得することできるので、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能なコンテンツ情報を提供することができる。
【００３３】
（１２）また、上述した課題を解決するため、本発明の通信方法は、テキストコンテンツを表示させる表示装置を介してユーザから、該表示装置に表示させるための前記テキストコンテンツの表示データの配信要求と、前記ユーザの特性を設定するためのユーザ特性設定情報と、を受信する受信工程と、前記ユーザ特性設定情報に基づいて前記ユーザの特性を設定する設定工程と、前記表示データの内容に、前記ユーザの特性に、又は、該表示データの内容及び該ユーザの特性の双方に関連するネットワーク上の参照可能な参照コンテンツ情報、又は該参照コンテンツを特定する特定情報を、データベース又はネットワークを介して外部から取得する取得工程と、データベースに記録された前記表示データと、取得した前記参照コンテンツ情報又は前記特定情報とを、前記ユーザに提供する提供工程と、を含み、前記取得工程は、前記表示データに含まれる単語を抽出し、所定の条件を満たす前記単語を重要語として決定し、前記参照コンテンツの候補情報のテキストデータに含まれる単語を抽出し、前記参照コンテンツの候補情報に含まれるテキストデータにおける前記重要語の有無、前記表示データに含まれる単語と前記テキストデータに含まれる単語との類似度による分類、及び、前記ユーザの特性を示す特性情報と前記参照コンテンツの候補情報に設定される特性情報の一致の有無の各組み合わせから、２以上の組み合わせにそれぞれ該当する参照コンテンツ情報又は前記特定情報を取得する構成を有している。
【００３４】
この構成により、本発明の通信方法は、表示装置を介したユーザからのテキストコンテンツの表示データの配信要求に応じて、該表示データの内容やユーザの特性に関連する様々な参照コンテンツ情報等を取得し、テキストコンテンツの表示データと、取得した様々な参照コンテンツ情報等と、をユーザに提供することができる。
【００３５】
したがって、本発明の通信方法は、ユーザが閲覧する閲覧データの内容の知識を深めるための情報などの表示装置に表示させる表示データの内容に類似するコンテンツだけでなく、ユーザの特性に関連するコンテンツ、例えば、ユーザにとって意外性のあるコンテンツやユニークなコンテンツなどバラエティーに富んだ参照コンテンツ情報等を取得することできるので、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能なコンテンツ情報を提供することができる。
【発明の効果】
【００３６】
本発明に係るサーバ装置、プログラム及び通信方法は、ユーザが閲覧する閲覧データの内容の知識を深めるための情報などの、通信端末装置等の表示装置に表示させる表示データの内容に類似するコンテンツだけでなく、ユーザの特性に関連するコンテンツ、例えば、ユーザにとって意外性のあるコンテンツやユニークなコンテンツなどバラエティーに富んだ参照コンテンツ情報等を取得することできるので、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能なコンテンツ情報を提供することができる。
【図面の簡単な説明】
【００３７】
【図１】本発明の一実施形態における通信システムの構成を示すシステム構成図である。
【図２】一実施形態における通信システムの動作概要を示す概念図である。
【図３】一実施形態における通信端末装置の構成を示すブロック図である。
【図４】一実施形態におけるサーバ装置の構成を示すブロック図である。
【図５】一実施形態において、各種参照コンテンツ情報を、参照コンテンツ候補情報データベースから取得するための取得条件の一例を示す図である。
【図６】一実施形態におけるサーバ装置内のユーザ特性データベースに記録されるユーザ属性情報に対応付けられた特性情報の一例を示す図である。
【図７】一実施形態において、参照コンテンツ候補情報データベースから各種参照コンテンツ情報を取得した結果の一例を示す図である。
【図８】一実施形態の通信システムにおいて実行される起点コンテンツの表示データ及び参照コンテンツ情報等の表示処理を示すフローチャートである。
【図９】一実施形態において、通信端末装置で表示される画像の一例を示す図である。
【図１０】一実施形態の通信システムにおいて実行される参照コンテンツ情報の更新処理を示すフローチャートである。
【図１１】一変形例の通信システムにおいて実行される、起点コンテンツの表示データ、並びに、起点コンテンツの表示データの一部の内容及びユーザの特性に関連する参照コンテンツ情報等の表示処理を示すフローチャート（その１）である。
【図１２】一変形例において、通信端末装置に起点コンテンツの表示データを表示させた画面の一例を示す図である。
【図１３】一変形例の通信システムにおいて実行される、起点コンテンツの表示データ、並びに、起点コンテンツの表示データの一部の内容及びユーザの特性に関連する参照コンテンツ情報等の表示処理を示すフローチャート（その２）である。
【発明を実施するための形態】
【００３８】
以下、図面を参照しつつ、本発明の実施形態について説明する。なお、以下の実施形態は、通信端末装置と、当該通信端末装置とネットワークを介して接続されるサーバ装置と、を有する通信システムに対し、本発明に係る、サーバ装置、プログラム及び通信方法を適用した場合の実施形態である。
【００３９】
［１］通信システムの構成及び概要
まず、図１及び図２を用いて本実施形態における通信システム１の構成及び概要について説明する。なお、図１は、本実施形態における通信システム１の構成を示すシステム構成図であり、図２は、本実施形態における通信システム１の動作概要を示す概念図である。また、図が煩雑になることを防止するために、図１及び図２においては、一部のユーザのみを示している。すなわち、実際の通信システム１においては、表示するよりも多数のユーザ及び通信端末装置１０が存在している。
【００４０】
本実施形態の通信システム１は、電子書籍、新聞、Ｗｅｂ記事などのテキストコンテンツ（以下、「起点コンテンツ」という。）の閲覧を希望するユーザから通信端末装置１０を介して起点コンテンツの表示データの配信要求を受信すると、表示データの内容に、ユーザの特性に、又は、該表示データ及び該ユーザの特性の双方に関連する様々な参照コンテンツ情報等を取得し、起点コンテンツの表示データと、取得した様々な参照コンテンツ情報等と、をユーザに提供することができるシステムである。
【００４１】
特に、通信システム１は、ユーザが閲覧する閲覧データの内容の知識を深めるための情報などの通信端末装置１０に表示させる表示データの内容に類似するコンテンツだけでなく、ユーザの特性に関連するコンテンツ、例えば、ユーザにとって意外性のあるコンテンツやユニークなコンテンツなどバラエティーに富んだ参照コンテンツ情報等を取得することでき、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能な参照コンテンツ情報を提供することが可能なシステムである。
【００４２】
また、本実施形態の通信システム１は、ＳＮＳその他のネットワークサービスによって起点コンテンツを会員であるユーザに閲覧可能に提供するシステムである。ただし、通信システム１は、非会員のユーザに対して起点コンテンツを閲覧させるようにしてもよい。
【００４３】
具体的には、本実施形態の通信システム１は、図１に示すように、各ユーザによってそれぞれ所持される、複数の通信端末装置１０と、ネットワーク２０と、サーバ装置３０と、ネットワーク２０に接続された基地局ＢＳと、を有している。
【００４４】
なお、ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００４５】
通信端末装置１０は、通信機能を有し、デジタルコンテンツの表示データを表示することができる装置、例えば、パーソナルコンピュータ（ＰＣ）、スマートフォン、携帯用電話機、タブレット型情報端末装置、携帯型ゲーム機などである。なお、例えば通信端末装置１０は、本発明の表示装置を構成する。
【００４６】
また、通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷシステム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用いつつ、サーバ装置３０とのデータ通信を行うブラウジング機能を有している。
【００４７】
そして、通信端末装置１０は、ＳＮＳの種々の機能を利用するために、または、サーバ装置３０との間で通信を行うために、予め定められた通信端末装置１０毎の固有の識別情報（以下、単に「端末ＩＤ」という。）を用いる。また、通信端末装置１０は、ブラウジング機能を用いて、サーバ装置３０から受信したＸＭＬデータに基づいて各種情報を表示するとともに、基地局ＢＳ及びネットワーク２０を介してサーバ装置３０と通信接続しつつ、サーバ装置３０からＳＮＳなどの各種サービスの提供を受けるようになっている。
【００４８】
特に、通信端末装置１０は、図２に示すように、起点コンテンツの表示操作、起点コンテンツのページを変更する操作などのユーザの操作に基づいて、起点コンテンツの表示データの配信要求（以下、「起点コンテンツ配信要求」という。）をサーバ装置３０に送信する処理を実行する。そして、通信端末装置１０は、起点コンテンツ配信要求に応じてサーバ装置３０が送信した起点コンテンツの表示データをユーザに閲覧可能に表示する処理（以下、「起点コンテンツ表示処理」という。）を実行する。
【００４９】
なお、通信端末装置１０は、起点コンテンツ配信要求の処理によって起点コンテンツを受信しつつ（すなわち、ダウンロードしつつ）、起点コンテンツ表示処理を実行してもよいし、起点コンテンツ配信要求の処理によって受信した起点コンテンツを記録し、所定のタイミングに当該記憶した起点コンテンツを読み出すことによって起点コンテンツ表示処理を実行してもよい。
【００５０】
また、起点コンテンツ配信要求には、通信端末装置１０の表示領域に表示させる起点コンテンツを特定するための識別情報（以下、「テキストコンテンツＩＤ」という。）と、閲覧箇所を特定するための識別情報、すなわち、通信端末装置１０に表示させる話、ページ、コマ等の表示データの識別情報（以下、「表示データＩＤ」という。）などが含まれる。
【００５１】
一方、通信端末装置１０は、ユーザの入力操作又は選択操作に基づいて、ユーザの特性を設定するためのユーザ特性設定情報を、起点コンテンツ配信要求と一緒あるいは別々にサーバ装置３０に送信する処理を実行する。そして、通信端末装置１０は、起点コンテンツ配信要求に応じてサーバ装置３０が送信した、起点コンテンツの表示データの内容、ユーザ特性設定情報に基づいて設定されたユーザの特性などに関連するネットワーク２０上の参照可能な参照コンテンツ情報等を図示しない内部記録領域に記録し、通信端末装置１０に対するユーザの操作により参照コンテンツ表示要求がなされた場合には、参照コンテンツ情報等をユーザに閲覧可能に表示する処理を実行する。
【００５２】
なお、ユーザ特性設定情報には、ユーザの嗜好性（趣味を含む。）に関する情報、又は、ユーザの年齢、性別、出身地等のユーザ属性情報が含まれる。
【００５３】
また、通信端末装置１０は、図２に示すように、所定の場合に、参照コンテンツの再配信要求をサーバ装置３０に送信する処理を実行する。そして、通信端末装置１０は、参照コンテンツの再配信要求に応じてサーバ装置３０が送信した参照コンテンツ情報等を、既存の参照コンテンツ情報等と置換する処理（すなわち、既存の参照コンテンツ情報を更新する処理）を実行する。
【００５４】
上記所定の場合とは、例えば、通信端末装置１０に対するユーザの操作により参照コンテンツの再取得が指示された場合、サーバ装置３０から参照コンテンツ候補情報のデータベース（後述する記録装置３３０）への追加更新した旨の通知がなされた場合、あるいは、サーバ装置３０からユーザの特性情報を更新した旨の通知がなされた場合などである。
【００５５】
サーバ装置３０は、ＳＮＳ等の各種ネットワークサービスを提供しつつ、通信端末装置１０を介したユーザの指示に基づき、通信端末装置１０と連携しつつ、各種処理を実行する。
【００５６】
特に、サーバ装置３０は、図２に示すように、通信端末装置１０から起点コンテンツ配信要求と、ユーザ特性設定情報を受信すると、ユーザ特性設定情報に基づいてユーザの特性を設定するとともに、起点コンテンツ配信要求に応じてデータベースから読み出した起点コンテンツの表示データと、データベースから取得した、該表示データの内容、ユーザ特性設定情報に基づいて設定されたユーザの特性などに関連する参照コンテンツ情報又は該参照コンテンツを特定する特定情報（例えば、サムネイルやＵＲＬなどの情報）と、を通信端末装置１０に送信する処理を実行する。
【００５７】
なお、サーバ装置３０は、表示データの内容やユーザの特性などに関連する参照コンテンツ情報又は特定情報をパッケージ化して、表示データ（すなわち、テキストコンテンツＩＤ及び表示データＩＤ）に対応付けて、パッケージ化した参照コンテンツ情報又は特定情報を通信端末装置１０に送信する。
【００５８】
また、サーバ装置３０は、通信端末装置１０からの起点コンテンツ配信要求に応じて、通信端末装置１０に表示させる表示データと、パッケージ化した参照コンテンツ情報又は特定情報を通信端末装置１０に一緒に送信してもよいし、サーバ装置３０は、通信端末装置１０からの起点コンテンツ配信要求に応じて通信端末装置１０に表示させる表示データをデータベースから読み出して通信端末装置１０に送信し、通信端末装置１０からの参照コンテンツ情報又は特定情報の配信要求に応じて参照コンテンツ情報又は特定情報を通信端末装置１０に送信するというように、通信端末装置１０に表示させる表示データと、パッケージ化した参照コンテンツ情報又は特定情報を通信端末装置１０に別々に送信してもよい。
【００５９】
具体的には、ユーザ特性設定情報にユーザの嗜好性に関する情報が含まれている場合には、サーバ装置３０は、ユーザの嗜好性に関する情報をデータベース（後述する記録装置３３０）に記録する。一方、ユーザ特性設定情報にユーザ属性情報が含まれている場合には、サーバ装置３０は、データベースに記録されているユーザ属性情報に対応付けられた特性情報を参照してユーザの特性を設定し、ユーザの特性情報をデータベースに記録する。
【００６０】
なお、参照コンテンツ情報には、例えば、通信端末装置１０に表示させる表示データの内容やユーザの特性などに関連する、他の書籍、新聞、Ｗｅｂ記事等のテキストコンテンツ、画像、映像、音楽等のメディア情報、商品の情報、場所やツアーに関する情報、イベント情報など、テキストデータ（各種情報の解説部分を含む）を含むバラエティーに富んだ情報が含まれている。また、参照コンテンツ情報には、著者名、書名、書籍紹介文、目次情報、発行所、発行年月日、ＩＳＢＮ、ＤＯＩ、全国書誌番号、テキストコンテンツに関するイベント情報などの公式情報を有するテキストコンテンツに関連する情報が含まれていてもよい。
【００６１】
また、通信端末装置１０に送信する表示データは、サーバ装置３０が、起点コンテンツ配信要求に含まれるテキストコンテンツＩＤ及び表示データＩＤに基づいて、各テキストコンテンツにおける各表示データに、テキストコンテンツＩＤ及び表示データＩＤを対応付けて記録しているデータベースから、通信端末装置１０に表示させる表示データを取得する処理を実行することにより得られる。
【００６２】
一方、通信端末装置１０に表示させる表示データの内容やユーザの特性に関連する参照コンテンツ情報は、サーバ装置３０が、
（１）通信端末装置１０に送信する表示データに含まれる単語を抽出し、
（２）所定の条件を満たす単語を重要語として決定し、
（３）データベースに記録されている参照コンテンツの候補情報のテキストデータに含まれる単語を抽出し、
（４）参照コンテンツの候補情報に含まれるテキストデータに決定した重要語が存在するか否かの有無を判定し、
（５）表示データに含まれる単語と、参照コンテンツの候補情報のテキストデータに含まれる単語との類似度を算出し、類似度の値に基づいて分類し、
（６）ユーザ特性設定情報に基づいて設定されたユーザの特性を示す特性情報と、参照コンテンツの候補情報に設定される特性情報の一致の有無を判定し、
（７）（４）の重要語の有無、（５）の類似度による分類、及び（６）の両特性情報の一致の有無の各組み合わせから、２以上の組み合わせにそれぞれ該当する参照コンテンツの候補情報を参照コンテンツ情報としてデータベースの中から抽出し、参照コンテンツ情報又は該参照コンテンツを特定する特定情報を取得する
ことにより得られる。
【００６３】
なお、上記組み合わせのうち、（４）の参照コンテンツの候補情報に含まれるテキストデータに決定した重要語が存在しない場合、（５）の類似度の値が低い場合、（６）の両特性情報が一致していない場合の組み合わせによって取得される参照コンテンツ情報においては、ユーザが閲覧を希望するテキストコンテンツの閲覧データの内容やユーザの特性に関連のない情報が多いと考えられることから、当該組み合わせを上記２以上の組み合わせに含ませないようにしてもよい。
【００６４】
また、サーバ装置３０は、参照コンテンツ候補情報データベースを追加更新した場合、ユーザの特性情報を追加更新した場合などに、サーバ装置３０は通信端末装置１０にその旨の通知を送信する。サーバ装置３０は、当該通知に応じて通信端末装置１０から送信された参照コンテンツの再配信要求を受信する。また、サーバ装置３０は、通信端末装置１０を介してユーザから参照コンテンツの再配信要求がなされた場合にも、通信端末装置１０から参照コンテンツの再配信要求を受信する。
【００６５】
サーバ装置３０は、図２に示すように、通信端末装置１０から参照コンテンツの再配信要求を受信すると、上記２以上の組み合わせにそれぞれ該当する参照コンテンツ情報又は該参照コンテンツを特定する特定情報を再取得し、通信端末装置１０に送信する処理を実行する。なお、サーバ装置３０は、再取得した参照コンテンツ情報又は特定情報をパッケージ化して、表示データ（すなわち、テキストコンテンツＩＤ及び表示データＩＤ）に対応付けて、パッケージ化した参照コンテンツ情報又は特定情報を通信端末装置１０に配信する。
【００６６】
このような構成を有することによって、本実施形態の通信システム１は、サーバ装置３０が通信端末装置１０から起点コンテンツ配信要求と、ユーザ特性設定情報とを受信することにより、ユーザの嗜好性に関する情報又はユーザ属性情報を含むユーザ特性設定情報に基づいてユーザの特性を設定し、起点コンテンツの表示データの内容やユーザの特性に関連するネットワーク２０上の参照可能な参照コンテンツ情報又は該参照コンテンツを特定する特定情報を取得することができるようになっている。
【００６７】
すなわち、本実施形態の通信システム１は、通信端末装置１０を介したユーザからのテキストコンテンツの表示データの配信要求に応じて、サーバ装置３０が該表示データの内容やユーザの特性に関連する様々な参照コンテンツ情報等を取得し、テキストコンテンツの表示データと、取得した様々な参照コンテンツ情報等と、をユーザに提供することができる。
【００６８】
したがって、本実施形態の通信システム１は、ユーザが閲覧する閲覧データの内容の知識を深めるための情報などの通信端末装置１０に表示させる表示データの内容に類似するコンテンツだけでなく、ユーザの特性に関連するコンテンツ、例えば、ユーザにとって意外性のあるコンテンツやユニークなコンテンツなどバラエティーに富んだ参照コンテンツ情報等を取得することできるので、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能なコンテンツ情報を提供することができる。
【００６９】
例えば、通信システム１は、起点コンテンツの表示データの内容やユーザの特性に関連する参照コンテンツ情報として、
（１）ユーザの特性情報と参照コンテンツ情報に設定される特性情報は一致しないが、参照コンテンツ情報のテキストデータは決定した重要語を含み、類似度が所定値以上であるという条件で取得された、ユーザが閲覧する閲覧データの内容の知識を深めるための情報（以下、「深める情報」という。）、
（２）テキストデータは決定した重要語を含まないが、ユーザの特性情報と参照コンテンツ情報に設定される特性情報は一致し、類似度が所定の範囲内であるという条件で取得された、ユーザにとって意外性のある情報（以下、「意外な情報」という。）、
（３）テキストデータは重要語を含み、ユーザの特性情報と前記参照コンテンツ情報に設定される特性情報は一致するが、前記類似度が所定の範囲内であるという条件で取得されたユニークな情報、
など、バラエティーに富んだ情報を抽出して、参照コンテンツ情報又は該参照コンテンツを特定する特定情報を取得することができるので、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能な情報を提供することができる。
【００７０】
また、通信システム１は、
（１）通信端末装置１０に対するユーザの操作により参照コンテンツの再取得が指示された場合、
（２）サーバ装置３０から参照コンテンツ候補情報データベースを追加更新した旨の通知が通信端末装置１０に送信された場合、
（３）サーバ装置３０からユーザ特性データベースにおけるユーザの特性情報を追加更新した旨の通知が通信端末装置１０に送信された場合、
などに、サーバ装置３０が、通信端末装置１０から参照コンテンツ情報又は該参照コンテンツを特定する特定情報の再配信要求を受信すると、サーバ装置３０は、参照コンテンツ情報又は特定情報を再取得することができるので、各タイミングで、追加更新された参照コンテンツの候補情報や、追加更新されたユーザの特性情報等に基づいて、テキストコンテンツの表示データの内容やユーザの特性に関連し、かつ、バラエティーに富んだ参照コンテンツ情報等を再取得することができるので、ユーザに対して閲覧データの内容やユーザの特性に関連する最新情報やユーザがより好む情報を提供することができる。
【００７１】
特に、通信システム１においては、ユーザ特性設定情報に、通信端末装置１０を介してユーザが入力又は選択したユーザの年代や性別などのユーザ属性情報が含まれる場合には、サーバ装置３０は、ユーザ特性設定情報に基づいて、データベースに記録されているユーザ属性情報に対応付けられた特性情報を参照し、ユーザの特性を設定することができるので、ユーザによる特性情報の入力が不要となり、ユーザの利便性を向上させることができる。
【００７２】
なお、参照コンテンツ候補情報が参照コンテンツ候補情報データベースに対して追加更新された場合には、全ての参照コンテンツの候補情報のテキストデータに含まれる単語を再度抽出し、参照コンテンツ情報又は特定情報を再取得してもよいが、追加更新した参照コンテンツの候補情報のテキストデータに含まれる単語を抽出し、参照コンテンツ情報又は特定情報を再取得してもよい。
【００７３】
また、ユーザの特性情報がユーザ特性データベースに対して追加更新された場合には、追加更新したユーザの特性情報に基づいて参照コンテンツ情報又は特定情報を再取得してもよい。
【００７４】
［２］通信端末装置
次に、図３を用いて本実施形態の各通信端末装置１０の構成について説明する。なお、図３は、本実施形態の通信端末装置１０の構成を示す構成図である。
【００７５】
本実施形態の通信端末装置１０は、図３に示すように、記録部１００と、ネットワーク通信部１１０と、データ処理部１２０と、表示部１３０と、表示制御部１４０と、操作部１５０と、管理制御部１６０と、を有している。なお、上記の各部は、バスＢによって相互に接続され、各構成要素間におけるデータの転送が実行される。
【００７６】
なお、ネットワーク通信部１１０は、本発明に係る通信端末装置１０の送信手段及び受信手段を構成し、表示制御部１４０及び管理制御部１６０は、本発明に係る通信端末装置１０の表示制御手段を構成する。
【００７７】
記録部１００は、例えば、ハードディスクドライブ（以下、「ＨＤＤ」と略す。）、又は、ＮＡＮＤ型、ＮＯＲ型等の不揮発性フラッシュメモリによって構成される。また、記録部１００は、ネットワーク通信部１１０、及び、管理制御部１６０のワークエリアとしてＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）も含まれる。
【００７８】
また、記録部１００は、アプリケーション記録部１０１と、コンテンツ記録部１０２と、を少なくとも含む。
【００７９】
アプリケーション記録部１０１には、データ処理部１２０、及び、管理制御部１６０によって実行される様々なアプリケーションプログラム（以下、「アプリケーション」という。）が記録されている他に、上記ブラウジング機能を実現するためのブラウザ用のプログラムも記録されている。また、アプリケーション記録部１０１には、ユーザ名、サーバ装置３０が提供する各種のネットワークサービス（例えばＳＮＳなど）を享受するためのユーザＩＤ、当該通信端末装置１０を一意に識別するための端末ＩＤ、当該ユーザに関するユーザ登録情報が記録されている。
【００８０】
コンテンツ記録部１０２には、起点コンテンツ配信要求によってサーバ装置３０から送信されてくる、起点コンテンツの表示データや、表示データに対応づけられた、深める情報、意外な情報、ユニークな情報、テキストコンテンツに関連する情報などの参照コンテンツ情報又は特定情報をパッケージ化したデータなどが記録される。また、コンテンツ記録部１０２には、表示データを識別するためのテキストコンテンツＩＤや表示データＩＤ、各参照コンテンツ情報が属する情報の種類（例えば、深める情報、意外な情報、ユニークな情報、テキストコンテンツに関連する情報など）、ユーザが通信端末装置１０を介して各参照コンテンツにアクセスした回数、及び各参照コンテンツのアクセス回数に基づいて算出された各参照コンテンツ情報に対するアクセス頻度も記録される。
【００８１】
ネットワーク通信部１１０は、基地局ＢＳの準拠する通信規格により、基地局ＢＳと無線通信チャネルを構築し、ネットワーク２０を経由して、サーバ装置３０と、各種データの授受を行う。特に、ネットワーク通信部１１０は、起点コンテンツ配信要求、ユーザ特性設定情報、参照コンテンツの再配信要求、アクセス頻度情報などをサーバ装置３０に送信する。なお、アクセス頻度情報には、各参照コンテンツ情報が属する情報の種類（例えば、深める情報、意外な情報、ユニークな情報、テキストコンテンツに関連する情報など）、各参照コンテンツ情報に設定される特性情報、ユーザが通信端末装置１０を介して各参照コンテンツにアクセスした回数、及び各参照コンテンツのアクセス回数に基づいて算出された各参照コンテンツ情報に対するアクセス頻度などが含まれている。
【００８２】
ネットワーク通信部１１０は、起点コンテンツ配信要求及びユーザ特性設定情報のサーバ装置３０への送信に応じて、
（１）起点コンテンツの表示データ、
（２）表示データに対応づけられた、深める情報、意外な情報、ユニークな情報、テキストコンテンツに関連する情報などの参照コンテンツ情報又は特定情報をパッケージ化したデータ、
（３）表示データを識別するための識別情報（テキストコンテンツＩＤや表示データＩＤなど）、
などをサーバ装置３０から受信する。また、ネットワーク通信部１１０は、参照コンテンツの再配信要求、アクセス頻度情報などのサーバ装置３０への送信に応じて、サーバ装置３０が再取得した上記（２）のパッケージデータ、及び（３）の表示データの識別情報などをサーバ装置３０から受信する。
【００８３】
なお、基地局ＢＳの準拠する通信規格はネットワーク２０の構成により変化する。例えば、ネットワーク２０が携帯電話網を含む場合に、３ＧＰＰ（３ｒｄ  Ｇｅｎｅｒａｔｉｏｎ  Ｐｅｒｔｎｅｒｓｈｉｐ  Ｐｒｏｊｅｃｔ）又は３ＧＰＰ２、ＬＴＥ（Ｌｏｎｇ  Ｔｅｒｍ  Ｅｖｏｌｕｔｉｏｎ）などの通信規格に準拠することになる。
【００８４】
データ処理部１２０は、アプリケーション記録部１０１に記録されているアプリケーションに応じて各種データ処理を実行する。例えば、データ処理部１２０は、表示制御部１４０にユーザ特性設定情報を入力又は選択する画面を生成させ、表示部１３０に当該画面を表示させる。データ処理部１２０は、ユーザが操作部１５０を操作することによって入力又は選択された情報に基づいて、ユーザ特性設定情報を作成し、ネットワーク通信部１１０を介してサーバ装置３０にユーザ特性設定情報を送信する。なお、ユーザ特性設定情報は、後述の起点コンテンツ配信要求と一緒に送信してもよいが、起点コンテンツ配信要求が送信される前に予め送信してもよい。ユーザ特性設定情報には、ユーザの特性を設定するための情報の他、例えば、ユーザＩＤ、端末ＩＤなどの情報が含まれる。
【００８５】
また、データ処理部１２０は、ユーザが操作部１５０を操作することによって、起点コンテンツの表示入力、起点コンテンツのページ変更入力などを受け付けた場合には、起点コンテンツ配信要求をネットワーク通信部１１０を介してサーバ装置３０に送信する処理を実行する。そして、データ処理部１２０は、起点コンテンツ配信要求の送信に応じて、ネットワーク通信部１１０がサーバ装置３０から起点コンテンツの表示データと、該表示データに対応づけられた参照コンテンツ情報又は特定情報のパッケージデータと、表示データの識別情報（テキストコンテンツＩＤや表示データＩＤ）とを受信すると、起点コンテンツの表示データ及び該表示データに対応づけられた参照コンテンツ情報又は特定情報のパッケージデータを紐づけて記録するとともに、サーバ装置３０からネットワーク通信部１１０が受信した表示データの識別情報を記録する。さらに、データ処理部１２０は、起点コンテンツの表示データをサーバ装置３０から受信すると、表示データを表示制御部１４０に供給し、表示部１３０に表示データを表示させる。
【００８６】
また、データ処理部１２０は、
（１）ユーザが操作部１５０を操作することによって参照コンテンツ情報の再取得の入力を受け付けた場合、
（２）サーバ装置３０から記録装置３３０に記録されている参照コンテンツ候補情報データベースを追加更新した旨の通知を受信した場合、又は
（３）サーバ装置３０からユーザの特性情報を更新した旨の通知を受信した場合、
には、ネットワーク通信部１１０を介してサーバ装置３０に参照コンテンツの再配信要求を送信する処理を実行する。
【００８７】
さらに、データ処理部１２０は、ネットワーク通信部１１０を介してサーバ装置３０に、コンテンツ記録部１０２に記録されたアクセス頻度情報を、定期的に又はサーバ装置３０から送信要求があった場合に送信する。
【００８８】
そして、データ処理部１２０は、参照コンテンツの再配信要求やアクセス頻度情報の送信に応じて、ネットワーク通信部１１０がサーバ装置３０から参照コンテンツ情報又は特定情報のパッケージデータと、表示データの識別情報（テキストコンテンツＩＤや表示データＩＤ）を受信すると、表示データの識別情報に基づいて、表示データに紐づけてコンテンツ記録部１０２に記録されている参照コンテンツ情報又は特定情報のパッケージデータを、サーバ装置３０から新たに受信した参照コンテンツ情報又は特定情報のパッケージデータに置換（更新）する。
【００８９】
データ処理部１２０は、ユーザが操作部１５０を操作することによって、参照コンテンツ情報の表示指示を受け付けた場合には、コンテンツ記録部１０２に記録した参照コンテンツ情報又は特定情報を表示制御部１４０に供給し、表示部１３０に参照コンテンツ情報又は特定情報を表示させる。
【００９０】
表示部１３０は、例えば、液晶素子又は有機ＥＬ（Ｅｌｅｃｔｒｏ  Ｌｕｍｉｎｅｓｃｅｎｃｅ）素子のパネルによって構成され、表示制御部１４０において生成された表示データに基づいて所定の画像を表示する。
【００９１】
表示制御部１４０は、表示部１３０に表示させるために必要な表示データを生成するようになっており、生成された表示データを当該表示部１３０に出力する。特に、表示制御部１４０は、起点コンテンツの表示指示画面データ、ユーザにユーザ特性設定情報を入力又は選択するための画面データ、参照コンテンツの表示指示画面データ、ネットワーク通信部１１０を介してサーバ装置３０から受信した起点コンテンツの表示データや参照コンテンツ情報又は特定情報を示す表示データなどを生成する。
【００９２】
操作部１５０は、各種の確認ボタン、各操作指令を入力する操作ボタン、テンキーなどの多数のキー及びタッチパネルにより構成され、各操作を行う際に用いられるようになっている。
【００９３】
管理制御部１６０は、主に中央演算処理装置（ＣＰＵ）によって構成されるとともに、キー入力ポート、表示制御ポート等の各種入出力ポートを含み、記録部１００に記録された各種のアプリケーションを実行することにより、通信端末装置１０の全般的な機能を総括的に制御する。特に、管理制御部１６０は、アプリケーション記録部１０１に記憶された各種アプリケーションに基づいて、全体の制御及び各処理の実行を監視する。
【００９４】
［３］サーバ装置
次に、図４〜図７の各図を用いて本実施形態のサーバ装置３０の構成について説明する。なお、図４は、本実施形態のサーバ装置３０の構成を示すブロック図であり、図５は、本実施形態において、各種参照コンテンツ情報を、参照コンテンツ候補情報データベースから取得するための取得条件の一例を示す図であり、図６は、本実施形態のサーバ装置３０内のユーザ特性ＤＢ３３４に記録されるユーザ属性情報に対応づけられた特性情報の一例を示す図であり、図７は、本実施携帯において、参照コンテンツ候補情報ＤＢ３３３から各種参照コンテンツ情報を取得した結果の一例を示す図である。
【００９５】
本実施形態のサーバ装置３０は、図４に示すように、通信制御部３１０と、ＲＯＭ／ＲＡＭ３２０と、記録装置３３０と、サーバデータ処理部３４０と、サーバ管理制御部３５０と、を有する。なお、上記の各部は、バスＢによって相互に接続され、各構成要素間におけるデータの転送が実行される。
【００９６】
なお、例えば、通信制御部３１０は、本発明に係るサーバ装置３０の受信手段及び提供（送信）手段を構成し、記録装置３３０は、本発明に係るサーバ装置３０のデータベースを構成する。また、例えば、サーバデータ処理部３４０は、本発明に係るサーバ装置３０の設定手段、取得手段、パッケージ手段、決定手段及びデータベース更新手段を構成する。
【００９７】
通信制御部３１０は、所定のネットワークインターフェースであり、通信端末装置１０と通信チャネルを構築し、各種のデータの授受を行う。特に、通信制御部３１０は、起点コンテンツ配信要求、ユーザ特性設定情報、参照コンテンツの再配信要求、アクセス頻度情報などを通信端末装置１０から受信する。また、通信制御部３１０は、起点コンテンツの表示データ、参照コンテンツ情報又は特定情報、参照コンテンツの追加更新通知、ユーザの特性情報の追加更新通知などを通信端末装置１０に送信する。
【００９８】
ＲＯＭ／ＲＡＭ３２０には、サーバ装置３０の駆動に必要な各種のプログラムが記録されている。また、ＲＯＭ／ＲＡＭ３２０には、サーバデータ処理部３４０、及び、サーバ管理制御部３５０によって実行される様々なアプリケーションが記録されている。そして、ＲＯＭ／ＲＡＭ３２０は、各種の処理が実行される際のワークエリアとして用いられる。
【００９９】
サーバ管理制御部３５０は、主に中央演算処理装置（ＣＰＵ）によって構成され、プログラムを実行することによって、サーバ装置３０の各部を統合制御する。例えば、サーバ管理制御部３５０は、記録装置３３０と連動し、ユーザの操作による通信端末装置１０からのログイン要求に基づいて各ユーザの各種のネットワークサービス（例えばＳＮＳなど）へのログイン処理を行う。
【０１００】
記録装置３３０は、ＨＤＤまたはＳＳＤ（Ｓｏｌｉｄ  Ｓｔａｔｅ  Ｄｒｉｖｅ）により構成され、その記録領域内に、記録装置３３０は、少なくとも会員ＤＢ３３１と、テキストコンテンツＤＢ３３２と、参照コンテンツ候補情報ＤＢ３３３と、ユーザ特性ＤＢ３３４と、辞書ＤＢ３３５を有している。
【０１０１】
会員ＤＢ３３１は、サーバ装置３０が提供するＳＮＳなどの各種のネットワークサービスの各ユーザの情報を管理するための各種情報が格納されるデータベースである。例えば、会員ＤＢ３３１には、各ユーザに対応するユーザＩＤと、当該ユーザの名前を示すユーザ名情報と、が対応付けて登録（記録）される。
【０１０２】
テキストコンテンツＤＢ３３２は、通信端末装置１０に表示させる種々の起点コンテンツの情報を管理するための各種情報が格納されるデータベースである。例えば、テキストコンテンツＤＢ３３２には、
（１）各起点コンテンツに対応し、他の起点コンテンツと識別するためのテキストコンテンツＩＤと、
（２）通信端末装置１０に表示させるテキストコンテンツの各表示データを識別するための表示データＩＤと、
が対応付けて登録（記録）される。
【０１０３】
参照コンテンツ候補情報ＤＢ３３３は、参照コンテンツ情報の候補となりうる、テキストデータを含む情報が格納されるデータベースである。例えば、参照コンテンツ候補情報ＤＢ３３３には、
（１）参照コンテンツ候補情報と、
（２）参照コンテンツ候補情報に含まれるテキストデータと、
（３）各参照コンテンツ候補情報に対応し、他の参照コンテンツ候補情報と識別するための参照コンテンツ候補情報ＩＤと、
（４）各参照コンテンツ候補情報を特定する特定情報と、
（５）各参照コンテンツ候補情報に設定される特性情報と、
が対応付けて登録（記録）される。また、参照コンテンツ候補情報ＤＢ３３３には、参照コンテンツ候補情報データベースから、図５に示すような、深める情報、意外な情報、ユニークな情報などの参照コンテンツ情報を取得するための取得条件が記録されている。
【０１０４】
例えば、深める情報の取得条件としては、ユーザの特性情報と参照コンテンツ情報に設定される特性情報は一致しないが、重要語として決定された、起点コンテンツの表示データにおいて出現回数が多いなどの重み付けの大きい固有名詞が、参照コンテンツ候補情報のテキストデータに存在し、表示データに含まれる単語と、テキストデータに含まれる単語との類似度が３１％−１００％の範囲内であるという条件が記録されている。なお、重要語は、固有名詞でなくても普通名詞であっても、名詞であってもよい。また、単語は、例えば、名詞、普通名詞、又は固有名詞に属するもの、その他、名詞以外の品詞などに分類されるものであってもよい。上記類似度は一致率であってもよい。
【０１０５】
例えば、意外な情報の取得条件としては、テキストデータに上記重要語が存在しないが、ユーザの特性情報と参照コンテンツ情報に設定される特性情報は一致し、表示データに含まれる単語と、テキストデータに含まれる単語との類似度が１６％−８０％の範囲内であるという条件が記録されている。また、例えば、ユニークな情報は、テキストデータに上記重要語が存在し、ユーザ属性情報と参照コンテンツ情報に設定される特性情報は一致し、表示データに含まれる単語とテキストデータに含まれる単語との類似度が０％−１５％の範囲内であるという条件が記録されている。
【０１０６】
ユーザ特性ＤＢ３３４は、各ユーザの特性情報が記録されるデータベースである。例えば、ユーザ特性ＤＢ３３４には、
（１）各ユーザ名と、
（２）各ユーザを識別するためのユーザＩＤと、
（３）各ユーザの特性情報と、
が対応付けて登録（記録）される。また、ユーザ特性ＤＢ３３４には、図６に示すような、ユーザの年代や性別などのユーザ属性情報からユーザの特性情報を設定するための、ユーザ属性情報に対応づけられた特性情報が記録されている。さらに、ユーザ特性ＤＢ３３４には、通信端末装置１０から受信したアクセス頻度情報が記録される。
【０１０７】
辞書ＤＢ３３５は、名詞（固有名詞や普通名詞など）、助詞、助動詞、擬態語及び擬音語を含む擬声語、活用語尾等の一般的な語彙が登録された辞書データが記録され、上記単語の分類処理に用いられるデータベースである。
【０１０８】
なお、記録装置３３０の各ＤＢに格納される上述の情報の項目は一例であり、ネットワークサービス等の状況にあわせて、上述の項目と別の項目がＤＢに追加されたり、上述の項目のうちのいくつかの項目が削除されたりしてもよい。
【０１０９】
サーバデータ処理部３４０は、ＲＯＭ／ＲＡＭ３２０に記録されているアプリケーションに応じて各種データ処理を実行する。特に、サーバデータ処理部３４０は、該当する通信端末装置１０等と連動して以下の処理を実行する。
（１）ユーザ特性ＤＢ３３４に記録されるユーザ属性情報に対応づけられた特性情報に基づいて各ユーザの特性を設定する設定処理
（２）深める情報、意外な情報、ユニークな情報などの参照コンテンツ情報を取得するための取得条件に基づいて、参照コンテンツ候補情報ＤＢ３３３に記録される参照コンテンツの候補情報から、深める情報、意外な情報、ユニークな情報などの参照コンテンツ情報を取得する取得処理
（３）深める情報、意外な情報、ユニークな情報、テキストコンテンツに関連する情報などの参照コンテンツ情報を所定の割合でパッケージ化するパッケージ処理
（４）通信端末装置１０から受信したアクセス頻度情報をユーザ特性ＤＢ３３４に記録するとともに、アクセス頻度情報を参照し、アクセス頻度が所定の条件を満たす（例えば、所定値以上である）参照コンテンツ情報に対して設定された特性情報に基づいて、ユーザ特性ＤＢ３３４に記録されるユーザ属性情報に対応づけられた特性情報の追加更新、参照コンテンツ候補情報ＤＢ３３３における参照コンテンツの候補情報の追加更新、テキストコンテンツＤＢ３３２におけるテキストコンテンツの追加更新などのＤＢ更新処理
【０１１０】
具体的には、サーバデータ処理部３４０は、上記各種の処理を実行するために、設定部３４１と、取得部３４２と、パッケージ部３４３、ＤＢ更新部３４４と、を含む。なお、例えば、本実施形態の、設定部３４１、取得部３４２、パッケージ部３４３、ＤＢ更新部３４４はそれぞれ、本発明の設定手段、取得手段、パッケージ手段、ＤＢ更新手段を構成する。
【０１１１】
設定部３４１は、サーバ装置３０から受信したユーザ特性設定情報に基づいてユーザの特性を設定する。ユーザ特性設定情報にユーザの嗜好性に関する情報が含まれている場合には、設定部３４１は、ユーザの嗜好性に関する情報をユーザ特性ＤＢ３３４に記録する。一方、ユーザ特性設定情報にユーザ属性情報が含まれている場合には、ユーザ特性ＤＢ３３４に記録されるユーザ属性情報に対応づけられた特性情報に基づいてユーザの特性を設定し、ユーザの特性情報をユーザ特性ＤＢ３３４に記録する。
【０１１２】
取得部３４２は、深める情報、意外な情報、ユニークな情報などの参照コンテンツ情報を取得するための取得条件に基づいて、参照コンテンツ候補情報ＤＢ３３３に記録される参照コンテンツの候補情報から、深める情報、意外な情報、ユニークな情報などの参照コンテンツ情報を取得する。例えば、取得部３４２は、
（１）辞書ＤＢ３３５に格納された辞書を用いて形態素解析を実行して、通信端末装置１０に送信する表示データに含まれる単語を抽出し、
（２）固有名詞であって、表示データにおいて出現回数が所定値以上の単語を重要語として決定し、
（３）参照コンテンツ候補情報ＤＢ３３３に記録されている参照コンテンツの候補情報のテキストデータに対して、辞書ＤＢ３３５に格納された辞書を用いて形態素解析を実行し、テキストデータに含まれる単語を抽出し、
（４）（２）で決定した重要語がテキストデータに存在するか否かの有無を判定し、
（５）表示データに含まれる単語と、テキストデータに含まれる単語との類似度を算出し、
（６）ユーザ特性ＤＢ３３４に記録されるユーザの特性情報と、参照コンテンツの候補情報に設定される特性情報の一致の有無を判定し、
（７）参照コンテンツ候補情報ＤＢ３３３の参照コンテンツ候補情報の中から、参照コンテンツ候補情報ＤＢ３３３に記録される深める情報、意外な情報、ユニークな情報などの参照コンテンツ情報を取得するための取得条件に該当する情報を抽出し、
抽出した各種情報を参照コンテンツ情報として取得する。
【０１１３】
上記（５）の類似度は、例えば、表示データに含まれる単語と、テキストデータに含まれる単語との一致率を算出してもよいし、ＴＦ−ＩＤＦ法を用いて表示データに含まれる単語と、テキストデータに含まれる単語とに重みを付けて各単語のベクトルを算出し、単語ベクトル同士のコサイン類似度を算出してもよい。
【０１１４】
具体的には、取得部３４２は、表示データに含まれる単語に基づいて、単語の出現頻度を示すＴＦ−ＩＤＦ（Ｔｅｒｍ  Ｆｒｅｑｕｅｎｃｙ  −  Ｉｎｖｅｒｓｅ  Ｄｏｃｕｍｅｎｔ  Ｆｒｅｑｕｅｎｃｙ）によって形成されるベクトルＱを生成する。すなわち、取得部３４２は、表示データに含まれる単語の出現頻度「ＴＦ」と全てのテキストデータにおけるその単語の出現頻度「ＤＦ」に基づいて算出された単語毎の「ＴＦ−ＩＤＦ（＝ＴＦ／ＤＦ）」のベクトルＱを算出する。
【０１１５】
【数１】
2015069386.tif 000003
【０１１６】
なお、ベクトルＱは、（式１）に示すようなベクトルである。また、（式１）において、「ｍ」は、各単語の番号を示し、「ｔ１」〜「ｔｍ」は、算出された各単語のＴＦ−ＩＤＦの値を示す。
【０１１７】
また、取得部３４２は、テキストデータに含まれる単語に基づいて、同様に、単語の出現頻度を示すＴＦ−ＩＤＦによって形成されるベクトルＳを生成する。すなわち、取得部３４２は、テキストデータに含まれる単語の出現頻度「ＴＦ」と全てのテキストデータにおけるその単語の出現頻度「ＤＦ」に基づいて算出された単語毎の「ＴＦ−ＩＤＦ（＝ＴＦ／ＤＦ）」のベクトルＳを算出する。
【０１１８】
【数２】
2015069386.tif 000004
【０１１９】
なお、ベクトルＳは、（式２）に示すようなベクトルである。また、「ｊ」は、各テキストデータのＩＤを示し、（式２）において、「ｓｊ１」〜「ｓｊｍ」は、（式１）と同様に、算出された各単語のＴＦ−ＩＤＦの値である。
【０１２０】
そして、取得部３４２は、表示データのベクトル「Ｑ」とテキストデータのベクトル（Ｓｊ）のベクトル空間モデルを用いて、参照コンテンツの候補情報のテキストデータ毎に、表示データの内容と一致する割合を、類似度（ｓｉｍ）として、（式３）を用いて算出する。
【０１２１】
【数３】
2015069386.tif 000005
【０１２２】
図７に、取得部３４２が参照コンテンツ候補情報データベースから各種参照コンテンツ情報を取得した結果の一例を示す。図７は、重要語として表示データに含まれる「ＵＦＯ」が決定され、表示データに含まれる単語と、テキストデータに含まれる単語との類似度は、起点コンテンツの表示データに含まれる１２の単語と、参照コンテンツの候補情報のテキストデータに含まれる単語との一致率を算出することによって行われ、ユーザの特性情報のジャンルとして映画、恋愛、ファッション、インテリアなどが設定された場合についての結果を示す。図７に示すように、取得した深める情報は、表示データに含まれる単語と、テキストデータに含まれる単語との一致率の順に配列されている。なお、意外な情報やユニークな情報は、ユーザの特性の種類ごとに配列されている。
【０１２３】
なお、取得部３４２は、ユーザ特性ＤＢ３３４に記録されるアクセス頻度情報に基づいて、ユーザがアクセスした各参照コンテンツ情報に設定された特性情報の各ジャンルに対するアクセス頻度を算出し、各ジャンルに対するアクセス頻度に応じて、ユーザ特性ＤＢ３３４に記録されるユーザの特性情報の各ジャンルに優先度を設定し、設定した優先度に基づいて、ユーザの特性情報との一致を条件として含む組み合わせ、例えば、意外な情報やユニークな情報を取得するための取得条件に該当する参照コンテンツ情報に、通信端末装置１０で表示させる際の順位付けするための順位情報を付加してもよい。このように、特定の種類の参照コンテンツ情報に対するユーザのアクセス頻度を示すアクセス頻度情報に基づいて参照コンテンツ情報又は特定情報を通信端末装置１０に表示する際に順位付けて通信端末装置１０で表示を行うことにより、ユーザが興趣するような情報を優先してユーザに提供することができるとともに、もってユーザの満足度を向上させることができる。
【０１２４】
パッケージ部３４３は、取得部３４２が取得した深める情報、意外な情報及びユニークな情報などの参照コンテンツ情報又は特定情報と、テキストコンテンツに関連する情報とを各表示データに関連付けてパッケージ化を行う。例えば、各種情報の中から、設定された各種情報の割合でそれぞれの情報を抽出し、抽出した複数の各種情報又は複数の各種情報をそれぞれ特定する複数の特定情報をパッケージデータとしてパッケージ化する。より具体的には、設定された、深める情報、意外な情報、ユニークな情報及びテキストコンテンツに関連する情報のそれぞれの割合が、４０％、３０％、１０％及び２０％である場合には、これらの割合で各種情報の中からそれぞれの情報を抽出し、抽出した複数の各種情報又は複数の各種情報をそれぞれ特定する複数の特定情報をパッケージデータとしてパッケージ化する。なお、パッケージ部３４３は、ユーザ特性ＤＢ３３４に記録されるアクセス頻度情報を参照し、各種参照コンテンツ情報（例えば、深める情報、意外な情報、ユニークな情報など）にユーザがアクセスした頻度に応じて、各種参照コンテンツ情報に重み付けを設定し、重み付けに基づいてパッケージ化する各種情報の割合を決定し、決定した割合に基づいて各種参照コンテンツ情報をパッケージ化してもよい。
【０１２５】
このようにパッケージ部３４３が、参照コンテンツ情報又は該参照コンテンツを特定する特定情報を予め設定された各種情報の割合でパッケージ化することにより、表示データの内容やユーザの特性に関連する知識をより深めること、又は知識の幅を広げることが可能な種々のコンテンツ情報を偏りなくユーザに提供することができるようになる。特に、アクセス頻度情報によって決定した各種参照コンテンツ情報の割合に基づいて各種参照コンテンツ情報をパッケージ化することにより、ユーザが興趣するような情報をより多くユーザに提供することが可能となり、もってユーザの満足度を向上させることができるようになる。また、パッケージ化する参照コンテンツ情報としてテキストコンテンツに関する情報を含ませることにより、テキストコンテンツの閲覧中に、著者名、書名、書籍紹介文、目次情報、発行所、発行年月日、ＩＳＢＮ、ＤＯＩ、全国書誌番号、テキストコンテンツに関するイベント情報などの公式情報をユーザに提供できるといったユーザの利便性を向上させることができるようになる。
【０１２６】
ＤＢ更新部３４４は、定期的に、参照コンテンツ候補情報ＤＢ３３３の追加更新を実行する処理を行う。そして、ＤＢ更新部３４４は、参照コンテンツ候補情報ＤＢ３３３を追加更新した旨の通知を通信端末装置１０に送信するように通信制御部３１０に指示を行う。また、ＤＢ更新部３４４は、ユーザ特性ＤＢ３３４に記録されるアクセス頻度情報を参照し、アクセス頻度が所定の条件を満たす（例えば、所定値以上である）参照コンテンツ情報に対して設定された特性情報に基づいて、ユーザ特性ＤＢ３３４に記録されているユーザの特性情報の追加更新を実行する処理を行う。そして、ＤＢ更新部３４４は、ユーザの特性情報を追加更新した旨の通知を通信端末装置１０に送信するように通信制御部３１０に指示を行う。このように、アクセス頻度情報に基づいてユーザ特性ＤＢ３３４に記録されているユーザの特性情報の追加更新を行うことにより、ユーザがより好む情報を提供することができるので、ユーザの利便性及び満足度を向上させることができる。
【０１２７】
［４］通信システムの動作
次に、図８〜図１０を用いて本実施形態の通信システムにおいて実行される具体的な処理について説明する。なお、図８は、本実施形態の通信システム１において実行される起点コンテンツの表示データ及び参照コンテンツ情報等の表示処理を示すフローチャートである。図９は、本実施形態において、通信端末装置１０で表示される画像の一例を示す図である。また、図１０は、本実施形態の通信システム１において実行される参照コンテンツ情報の更新処理を示すフローチャートである。
【０１２８】
まず、本実施形態の通信システム１において実行される起点コンテンツの表示データ及び参照コンテンツ情報等の表示処理について説明する。本動作において、通信端末装置１０のデータ処理部１２０は、起点コンテンツの表示操作、起点コンテンツのページを変更する操作などのユーザによる起点コンテンツ表示指示の入力が操作部１５０に対してなされるのを待機しているものとする。なお、この操作の前に、データ処理部１２０は、表示制御部１４０にユーザ特性設定情報を入力又は選択する画面を生成させ、表示部１３０に当該画面を表示させ、データ処理部１２０は、ユーザが操作部１５０を操作することによって入力又は選択された情報に基づいて、ユーザ特性設定情報を作成する。
【０１２９】
この状態において、データ処理部１２０は、操作部１５０に対するユーザ操作に基づいて、起点コンテンツの表示指示を検知すると（ステップＳ１００）、起点コンテンツ配信要求とユーザ特性設定情報をネットワーク通信部１１０を介してサーバ装置３０に送信する（ステップＳ１０１）。そして、管理制御部１６０は、サーバ装置３０からのデータ受信を待機する状態に移行する。なお、データ処理部１２０は、ユーザ特性設定情報を、起点コンテンツ配信要求と一緒にサーバ装置３０に送信してもよいが、起点コンテンツ配信要求を送信する前に予め送信しておいてもよい。
【０１３０】
次いで、サーバ装置３０においては、設定部３４１は、通信端末装置１０から起点コンテンツ配信要求とユーザ特性設定情報を受信すると（ステップＳ２００）、ユーザ特性設定情報に基づいてユーザの特性を設定し、ユーザ特性ＤＢ３３４にユーザの特性情報をユーザＩＤと端末ＩＤに対応付けて記録する（ステップＳ２０１）。
【０１３１】
次いで、取得部３４２は、起点コンテンツの表示データに含まれる単語を抽出し（ステップＳ２０２）、固有名詞であって、表示データにおいて出現回数が所定以上の単語を重要語として決定する（ステップＳ２０３）。そして、参照コンテンツ候補情報ＤＢ３３３に記録されている各種参照コンテンツ情報を取得するための取得条件を参照し、参照コンテンツ候補情報ＤＢ３３３に記録されている参照コンテンツの候補情報の中から、各種参照コンテンツ情報を取得する（ステップＳ２０４）。
【０１３２】
パッケージ部３４３は、取得部３４２が取得した各種参照コンテンツ情報又は特定情報と、テキストコンテンツに関する情報を、各種参照コンテンツ情報の割合に基づいて抽出してパッケージ化し、表示データと、パッケージ化した参照コンテンツ情報又は特定情報とを紐付けてさらにパッケージ化する（ステップＳ２０５）。そして、パッケージ部３４３は、通信制御部３１０を介して、パッケージ化した起点コンテンツ情報等と、表示データの識別情報（テキストコンテンツＩＤ及び表示データＩＤ）などを通信端末装置１０に配信し（ステップＳ２０６）、サーバ管理制御部３５０は、本動作を終了させる。
【０１３３】
次いで、通信端末装置１０において、ネットワーク制御部１１０がサーバ装置３０から送信されたパッケージ化した起点コンテンツ情報等を受信すると（ステップＳ１０２）、データ処理部１２０は、コンテンツ記録部１０２に表示データに紐づけて参照コンテンツ情報又は特定情報のパッケージデータを記録するとともに表示データの識別情報を記録し、起点コンテンツの表示データを表示制御部１４０に供給して、表示部１３０に起点コンテンツの表示データを表示させ（ステップＳ１０３）、管理制御部１６０は、ユーザが操作部１５０を操作することによって参照コンテンツ情報の表示指示がなされたかどうかの検知を行う状態に移行する。
【０１３４】
データ処理部１２０は、参照コンテンツ表示指示を検知すると（ステップＳ１０４：Ｙｅｓ）、表示データに紐付けた、参照コンテンツ情報又は該参照コンテンツを特定する特定情報のパッケージ化データを読み出して表示制御部１４０に供給し、表示部１３０に参照コンテンツ情報等を表示させ（ステップＳ１０５）、ユーザが操作部１５０を操作することによって起点コンテンツの閲覧終了指示がなされたかどうかの検知を行う状態に移行する。データ処理部１２０が起点コンテンツの閲覧終了指示を検知しない場合には（ステップＳ１０６：Ｎｏ）、参照コンテンツ情報の表示指示がなされたかどうかの検知を行う状態（ステップＳ１０４）に移行する。一方、データ処理部１２０が起点コンテンツの閲覧終了指示を検知した場合には（ステップＳ１０６：Ｙｅｓ）、管理制御部１６０は、本動作を終了させる。
【０１３５】
図９に、表示部１３０に表示させる画面の一例を示す。図９に示すように、例えば、起点コンテンツの表示データＸをユーザが閲覧中に、ユーザが『参照コンテンツ表示』の部分（図示しない）をクリックすると、各種参照コンテンツ情報Ｙのサムネイルとそのコメントが下部に表示される。下部に表示される各種参照コンテンツ情報ＹのサムネイルをクリックするとそのＵＲＬにアクセスされるようになっている。また、下部に表示される各種参照コンテンツ情報Ｙは、スクロールにより、所定数の参照コンテンツ情報を開示できるようになっており、ユーザが『更に表示』の部分をクリックすると、更に所定数の参照コンテンツ情報を開示できるようになっている。
【０１３６】
一方、データ処理部１２０が、参照コンテンツ表示指示を検知しない場合には（ステップＳ１０４：Ｎｏ）、ユーザが操作部１５０を操作することによって起点コンテンツの閲覧終了指示がなされたかどうかの検知を行う状態に移行する。データ処理部１２０が起点コンテンツの閲覧終了指示を検知しない場合には（ステップＳ１０６：Ｎｏ）、参照コンテンツ情報の表示指示がなされたかどうかの検知を行う状態（ステップＳ１０４）に移行する。一方、データ処理部１２０が起点コンテンツの閲覧終了指示を検知した場合には（ステップＳ１０６：Ｙｅｓ）、管理制御部１６０は、本動作を終了させる。
【０１３７】
次に、本実施形態の通信システム１において実行される参照コンテンツ情報の更新処理について説明する。データ処理部１２０は、ユーザの操作による参照コンテンツの再取得指示を検知した場合、サーバ装置３０から、参照コンテンツ候補情報ＤＢ３３３やユーザ特性ＤＢ３３４を追加更新した旨の通知をネットワーク通信部１１０が受信した場合などに、参照コンテンツ情報の再配信要求をサーバ装置３０に送信し（ステップＳ１１０）、管理制御部１６０は、サーバ装置３０からのデータ受信を待機する状態に移行する。
【０１３８】
次いで、サーバ装置３０においては、取得部３４２は、通信制御部３１０が参照コンテンツ情報の再配信要求を通信端末装置１０から受信すると（ステップＳ２１０）、参照コンテンツ候補情報ＤＢ３３３に記録されている各種参照コンテンツ情報を取得するための取得条件を参照し、参照コンテンツ候補情報ＤＢ３３３に記録されている参照コンテンツの候補情報の中から、各種参照コンテンツ情報を再取得する（ステップＳ２１１）。そして、パッケージ部３４３は、取得部３４２が再取得した各種参照コンテンツ情報又は特定情報と、テキストコンテンツに関する情報を、各種参照コンテンツ情報の割合に基づいて抽出してパッケージ化し（ステップＳ２１２）、表示データの識別情報（テキストコンテンツＩＤ及び表示データＩＤ）とともに、パッケージ化した参照コンテンツ情報等を、通信制御部３１０を介して通信端末装置１０に再配信し（ステップＳ２１３）、サーバ管理制御部３５０は、本動作を終了させる。
【０１３９】
次いで、通信端末装置１０において、ネットワーク通信部１１０がサーバ装置３０から参照コンテンツ情報又は特定情報のパッケージデータと、表示データの識別情報（テキストコンテンツＩＤや表示データＩＤ）を受信すると（ステップＳ１１１）、データ処理部１２０は、表示データの識別情報に基づいて、表示データに紐づけてコンテンツ記録部１０２に記録されている参照コンテンツ情報又は特定情報のパッケージデータを、サーバ装置３０から新たに受信した参照コンテンツ情報又は特定情報のパッケージデータに置換（更新）し（ステップＳ１１２）、管理制御部１６０は、本動作を終了させる。
【０１４０】
なお、本実施形態においては、通信端末装置１０からの起点コンテンツ配信要求に応じて、サーバ装置３０は、起点コンテンツの表示データと、参照コンテンツ情報又は特定情報のパッケージデータとを紐付けて、通信端末装置１０に送信することとしているが、サーバ装置３０は、起点コンテンツ配信要求に対しては起点コンテンツの表示データを送信し、その後の参照コンテンツ情報の配信要求に応じて、該表示データに対する参照コンテンツ情報又は特定情報のパッケージデータを通信端末装置１０に送信することとしてもよい。
【０１４１】
また、本実施の形態においては、通信端末装置１０のデータ処理部１２０が、サーバ装置３０から受信した、所定の割合でパッケージ化した各種参照コンテンツ情報等を表示部１３０に表示させることとしているが、データ処理部１２０が、サーバ装置３０から受信した各種参照コンテンツ情報を所定の割合で表示部１３０に表示させることとしてもよい。
【０１４２】
以上、本実施形態において、通信システム１及びサーバ装置３０は、通信端末装置１０を介したユーザからのテキストコンテンツの表示データの配信要求に応じて、該表示データの内容やユーザの特性に関連する様々な参照コンテンツ情報等を取得し、テキストコンテンツの表示データと、取得した様々な参照コンテンツ情報等と、をユーザに提供することができる。
【０１４３】
したがって、通信システム１及びサーバ装置３０は、ユーザが閲覧する閲覧データの内容の知識を深めるための情報などの通信端末装置１０に表示させる表示データの内容に類似するコンテンツだけでなく、ユーザの特性に関連するコンテンツ、例えば、ユーザにとって意外性のあるコンテンツやユニークなコンテンツなどバラエティーに富んだ参照コンテンツ情報等を取得することできるので、テキストコンテンツの閲覧中にユーザが興趣するような情報を提供できるといったユーザの利便性を向上させるとともに、テキストコンテンツの閲覧中にユーザが閲覧データの内容やユーザの特性に関連する知識をより深めること、又はより広げることが可能なコンテンツ情報を提供することができる。
【０１４４】
［５］変形例
［５．１］変形例１
上記実施形態においては、サーバ装置３０内に各ＤＢを設け、管理及び制御する構成としたが、各ＤＢの管理、制御主体となるコンピュータシステムは、各々、別個なコンピュータシステムによって稼働するようにしてもよい。また、各ＤＢの管理、制御主体となるコンピュータシステムは、ネットワーク２０を介して外部に設置されていてもよい。
【０１４５】
［５．２］変形例２
上記実施形態においては、参照コンテンツ候補情報ＤＢ３３３やユーザ特性ＤＢ３３４が追加更新された場合には、サーバ装置３０から通信端末装置１０にその旨の通知を送信しているが、該通知をＳＮＳで掲示板に通知してユーザに提供してもよい。
【０１４６】
［５．３］変形例３
上記実施形態では、起点コンテンツの表示データの内容及びユーザの特性に関連する参照コンテンツ情報等を通信端末装置１０に表示させる処理について説明したが、起点コンテンツの表示データの一部の内容及びユーザの特性に関連する参照コンテンツ情報等を通信端末装置１０に表示させる処理を行わせてもよい。以下に、図１１〜図１３を用いて通信システムにおいて実行させてもよい具体的な処理について説明する。図１１及び図１３は、変形例の通信システム１において実行される、起点コンテンツの表示データ、並びに、起点コンテンツの表示データの一部の内容及びユーザの特性に関連する参照コンテンツ情報等の表示処理を示すフローチャートである。図１２は、通信端末装置１０の表示部１３０に起点コンテンツの表示データを表示させた画面の一例を示す図である。
【０１４７】
本動作において、通信端末装置１０のデータ処理部１２０は、起点コンテンツの表示操作、起点コンテンツのページを変更する操作などのユーザによる起点コンテンツ表示指示の入力が操作部１５０に対してなされるのを待機しているものとする。なお、この操作の前に、データ処理部１２０は、表示制御部１４０にユーザ特性設定情報を入力又は選択する画面を生成させ、表示部１３０に当該画面を表示させ、データ処理部１２０は、ユーザが操作部１５０を操作することによって入力又は選択された情報に基づいて、ユーザ特性設定情報を作成する。
【０１４８】
この状態において、データ処理部１２０は、操作部１５０に対するユーザ操作に基づいて、起点コンテンツの表示指示を検知すると（ステップＳ１２０）、起点コンテンツ配信要求とユーザ特性設定情報を、ネットワーク通信部１１０を介してサーバ装置３０に送信する（ステップＳ１２１）。そして、管理制御部１６０は、サーバ装置３０からのデータ受信を待機する状態に移行する。なお、データ処理部１２０は、ユーザ特性設定情報を、起点コンテンツ配信要求と一緒にサーバ装置３０に送信してもよいが、起点コンテンツ配信要求を送信する前に予め送信しておいてもよい。
【０１４９】
次いで、サーバ装置３０においては、設定部３４１は、通信端末装置１０から起点コンテンツ配信要求とユーザ特性設定情報を受信すると（ステップＳ２２０）、ユーザ特性設定情報に基づいてユーザの特性を設定し、ユーザ特性ＤＢ３３４にユーザの特性情報をユーザＩＤと端末ＩＤに対応付けて記録する（ステップＳ２２１）。また、パッケージ部３４３は、起点コンテンツ配信要求に含まれるテキストコンテンツＩＤ及び表示データＩＤに基づいて、テキストコンテンツＤＢ３３２から通信端末装置１０に表示させる表示データを取得し、該テキストコンテンツＩＤ及び表示データＩＤとともに起点コンテンツ情報等として通信端末装置１０に配信する（ステップＳ２２２）。そして、サーバ管理制御部３５０は、本動作を終了させる。
【０１５０】
次いで、通信端末装置１０において、ネットワーク制御部１１０がサーバ装置３０から送信された起点コンテンツ情報等を受信すると（ステップＳ１２２）、データ処理部１２０は、起点コンテンツの表示データを表示制御部１４０に供給し、表示部１３０に起点コンテンツの表示データを表示させ（ステップＳ１２３）、管理制御部１６０は、ユーザが操作部１５０を操作することによって表示データの一部（キーワード）を選択したかどうかの検知を行う状態に移行する。具体的には、図１２に示すように、通信端末装置１０の表示部１３０に表示データを表示している状態において、ユーザが操作部１５０を操作することによってキーワードを選択した場合には、データ処理部１２０はキーワードを選択したことを検知する。
【０１５１】
通信端末装置１０において、データ処理部１２０がキーワードを選択したことを検知すると（ステップＳ１２４）、データ処理部１２０はネットワーク通信部１１０を介してユーザが選択したキーワード情報をサーバ装置３０に送信し（ステップＳ１２５）、管理制御部１６０は、サーバ装置３０からのデータ受信を待機する状態に移行する。
【０１５２】
次いで、サーバ装置３０において、通信制御部３１０が、ユーザが選択したキーワード情報を通信端末装置１０から受信すると（ステップＳ２２３）、取得部３４２は、キーワード情報に含まれる単語を抽出し（ステップＳ２２４）、固有名詞であって、表示データにおいて出現回数が所定以上の単語を重要語として決定する（ステップＳ２２５）。そして、参照コンテンツ候補情報ＤＢ３３３に記録されている各種参照コンテンツ情報を取得するための取得条件を参照し、参照コンテンツ候補情報ＤＢ３３３に記録されている参照コンテンツの候補情報の中から、各種参照コンテンツ情報を取得する（ステップＳ２２６）。
【０１５３】
パッケージ部３４３は、取得部３４２が取得した各種参照コンテンツ情報又は特定情報と、テキストコンテンツに関する情報を、各種参照コンテンツ情報の割合に基づいて抽出してパッケージ化し（ステップＳ２２７）、表示データの識別情報（テキストコンテンツＩＤ及び表示データＩＤ）とともに、パッケージ化した参照コンテンツ情報等を、通信制御部３１０を介して通信端末装置１０に配信し（ステップＳ２２８）、サーバ管理制御部３５０は、本動作を終了させる。
【０１５４】
次いで、通信端末装置１０において、ネットワーク通信部１１０がサーバ装置３０から参照コンテンツ情報又は特定情報のパッケージデータ等を受信すると（ステップＳ１２６）、データ処理部１２０は、表示データの識別情報に基づいて、表示データに紐づけてコンテンツ記録部１０２に参照コンテンツ情報又は特定情報のパッケージデータを記録し（ステップＳ１２７）、管理制御部１６０は、ユーザが操作部１５０を操作することによって参照コンテンツ情報の表示指示がなされたかどうかの検知を行う状態に移行する。
【０１５５】
データ処理部１２０は、参照コンテンツ表示指示を検知すると（ステップＳ１２８：Ｙｅｓ）、表示データに紐付けた、参照コンテンツ情報又は該参照コンテンツを特定する特定情報のパッケージ化データを読み出して表示制御部１４０に供給し、表示部１３０に参照コンテンツ情報等を表示させ（ステップＳ１２９）、ユーザが操作部１５０を操作することによって起点コンテンツの閲覧終了指示がなされたかどうかの検知を行う状態に移行する。データ処理部１２０が起点コンテンツの閲覧終了指示を検知しない場合には（ステップＳ１３０：Ｎｏ）、参照コンテンツ情報の表示指示がなされたかどうかの検知を行う状態（ステップＳ１２８）に移行する。一方、データ処理部１２０が起点コンテンツの閲覧終了指示を検知した場合には（ステップＳ１３０：Ｙｅｓ）、管理制御部１６０は、本動作を終了させる。
【０１５６】
一方、データ処理部１２０が、参照コンテンツ表示指示を検知しない場合には（ステップＳ１２８：Ｎｏ）、ユーザが操作部１５０を操作することによって起点コンテンツの閲覧終了指示がなされたかどうかの検知を行う状態に移行する。データ処理部１２０が起点コンテンツの閲覧終了指示を検知しない場合には（ステップＳ１３０：Ｎｏ）、参照コンテンツ情報の表示指示がなされたかどうかの検知を行う状態（ステップＳ１２８）に移行する。一方、データ処理部１２０が起点コンテンツの閲覧終了指示を検知した場合には（ステップＳ１３０：Ｙｅｓ）、管理制御部１６０は、本動作を終了させる。
【０１５７】
なお、本変形例３においては、キーワードの選択検知（ステップＳ１２４）を行った後、参照コンテンツ表示指示の検知（ステップＳ１２８）を行うこととしているが、参照コンテンツ表示指示の検知を行った後、キーワードの選択検知を行ってもよい。この場合、キーワードの選択検知を行った後、選択キーワード情報を送信し、それに応じてサーバ装置３０から受信した参照コンテンツ情報等を表示することとしてもよい。
【符号の説明】
【０１５８】
１  …  通信システム
１０  …  通信端末装置
２０  …  ネットワーク
３０  …  サーバ装置
１００  …  記録部
１０１  …  アプリケーション記録部
１０２  …  コンテンツ記録部
１１０  …  ネットワーク通信部
１２０  …  データ処理部
１３０  …  表示部
１４０  …  表示制御部
１５０  …  操作部
１６０  …  管理制御部
３１０  …  通信制御部
３２０  …  ＲＯＭ／ＲＡＭ
３３０  …  記録装置
３３１  …  会員ＤＢ
３３２  …  テキストコンテンツＤＢ
３３３  …  参照コンテンツ候補情報ＤＢ
３３４  …  ユーザ特性ＤＢ
３３５  …  辞書ＤＢ
３４０  …  サーバデータ処理部
３４１  …  設定部
３４２  …  取得部
３４３  …  パッケージ部
３４４  …  ＤＢ更新部
３５０  …  サーバ管理制御部
【図１】
2015069386.tif 000006
【図２】
2015069386.tif 000007
【図３】
2015069386.tif 000008
【図４】
2015069386.tif 000009
【図５】
2015069386.tif 000010
【図６】
2015069386.tif 000011
【図７】
2015069386.tif 000012
【図８】
2015069386.tif 000013
【図１０】
2015069386.tif 000014
【図１１】
2015069386.tif 000015
【図１２】
2015069386.tif 000016
【図１３】
2015069386.tif 000017
【図９】
2015069386.tif 000018